(57)【要約】【課題】本発明は、手工具の挟み部を提供する。【解決手段】主として、挟み持ち面に、噛合い領域と非噛合い領域があり、該噛合い領域で、ワークを噛合い、噛合い領域の中段に、突出部が形成され、該突出部の端部に、噛合い槽が設けられ、突出部に隣接する該噛合い槽の端部に、抵当角が設けられ、また、該噛合い槽の外側に、曲状の延伸段が設けられ、これにより、新しいナットに対してナットの辺縁を破壊しなく、新しいナットの角部を保護でき、角部が円形に磨耗された古いナットを取り締まることと取り外すことができる手工具の挟み部である。【選択図】図２
2008155360.tif 000002
【特許請求の範囲】
【請求項１】
主として、工具本体と、該工具本体の端部に設けられた開放式作動部と、該開放式作動部に形成された二つの顎部とが備えられる手工具の挟み部であって、
少なくとも一つの顎部の顎口の端面に、噛合い領域と非噛合い領域があり、該噛合い領域で、ワークを噛合い、噛合い領域の中段に、突出部が形成され、該突出部の端部に、少なくとも一つの噛合い槽が設けられ、突出部に隣接する該噛合い槽の端部に抵当角が設けられ、該噛合い槽の外側に、曲状の延伸段が設けられる、
ことを特徴とする手工具の挟み部。
【請求項２】
該突出部は、円弧状で、円突出状噛合い領域を形成することを特徴とする請求項１に記載の手工具の挟み部。
【請求項３】
該突出部は、平面状で、台状噛合い領域を形成することを特徴とする請求項１に記載の手工具の挟み部。
【請求項４】
該突出部の両端部に、ともに噛合い槽が設けられ、また、突出部に隣接する噛合い槽の端部に、抵当角が設けられることを特徴とする請求項１に記載の手工具の挟み部。
【請求項５】
該両顎部の顎口の端面に、ともに、噛合い領域と非噛合い領域が設けられることを特徴とする請求項１に記載の手工具の挟み部。
【請求項６】
該工具本体は、オープンスパナであることを特徴とする請求項１乃至３に記載の何れかの手工具の挟み部。
【請求項７】
該噛合い槽は、ジグザグ状であることを特徴とする請求項１に記載の手工具の挟み部。
【請求項８】
該突出部と延伸段により形成された噛合い領域は、円弧面であることを特徴とする請求項１に記載の手工具の挟み部。
【請求項９】
主として、工具本体と、該工具本体の端部に設けられた閉鎖式作動部と、閉鎖状嵌設孔が形成される手工具の挟み部であって、
該嵌設孔内の少なくとも一つの挟み持ち面に、噛合い領域と非噛合い領域とが形成され、該噛合い領域で、ワークを噛合い、噛合い領域の中段に、突出部が形成され、該突出部の端部に、少なくとも一つの噛合い槽が設けられ、該突出部に隣接する噛合い槽の端部に、抵当角が設けられ、該噛合い槽の外側に、曲状の延伸段が設けられる、
ことを特徴とする手工具の挟み部。
【請求項１０】
該突出部は、円弧状で、円突出状噛合い領域を形成することを特徴とする請求項９に記載の手工具の挟み部。
【請求項１１】
該突出部は、平面状で、台状噛合い領域を形成することを特徴とする請求項９に記載の手工具の挟み部。
【請求項１２】
該突出部の両端部に、ともに噛合い槽が設けられ、また、突出部に隣接する噛合い槽の端部に、抵当角が設けられることを特徴とする請求項９に記載の手工具の挟み部。
【請求項１３】
該嵌設孔内の各挟み持ち面に、ともに、噛合い領域と非噛合い領域が設けられることを特徴とする請求項９に記載の手工具の挟み部。
【請求項１４】
該嵌設孔内の挟み持ち面に、間隔を置いて、噛合い領域と非噛合い領域が設けられることを特徴とする請求項９に記載の手工具の挟み部。
【請求項１５】
該工具本体は、閉鎖状作動部を有する眼鏡スパナーやリングラチェットスパナー或いはスリーブ継ぎ手であることを特徴とする請求項９乃至１１に記載の何れかの手工具の挟み部。
【請求項１６】
該噛合い槽は、ジグザグ状であることを特徴とする請求項９に記載の手工具の挟み部。
【請求項１７】
該突出部と延伸段により形成された噛合い領域は、円弧面であることを特徴とする請求項９に記載の手工具の挟み部。
【発明の詳細な説明】
【技術分野】
【０００１】
本発明は、手工具の挟み部に関する。
【背景技術】
【０００２】
一般の手工具は、例えば、米国特許第５８６０３３９号のように、該スパナの両顎部駆動面に、それぞれ、粗い端（ｒｏｕｇｈｅｎｅｄ）と非粗い端（ｕｎｒｏｕｇｈｅｎｅｄ）が形成され、該スパナを時計回りに回転する時、ロックする機能が得られるが、弧形凹槽だけでナットの角部を保護するため、他のナットの角部が、非粗い端によって磨耗され、逆時計回りの時、アンロックする機能が得られるが、摩擦力を増加するための歯構造により、有効に、角部が磨耗されたナットが、噛合われ、取り外すことができるが、同時に、噛合い力が大きすぎ、そして、歯構造により、導致正常の新しいナットの辺縁の構造が破壊され、即ち、バリ現象が発生する。
【０００３】
上記に類似するものは、例えば、米国特許第６００９７７８号と同第５１４８７２６号、同第５１１７７１４号、同第５０７４１７１号及び同第６１４５４１４号等では、上記と同様に、ナット辺縁が、噛合われてバリを生成し、或いは、角部が磨耗したナットが、噛合われてアンロックできなく、或いは、新しいナットの角部が、保護されず、円角に磨耗される等の欠点がある。
【０００４】
また、例えば、米国特許第５４０６８６８号と同第５３８１７１０号は、主として、スパナの両顎部の挟み部に、対称する円弧突出部が形成され、突出部の前、後端に、弧凹曲面が形成され、これにより、上記のバリ現象が生成されないが、このようなオープンスパナの挟み部によれば、角部が磨耗されたナットをロックやアンロックすることができない。
【発明の開示】
【発明が解決しようとする課題】
【０００５】
本発明の主な目的は、取り締まることと取り外すことが正常に行え、正常ではないナットを取り締まることと取り外すことができる手工具の挟み部を提供する。
【０００６】
本発明の他の目的は、正常や正常ではない円角になるナットを取り締まることと取り外すことができ、また、ナットの辺縁構造を破壊しない手工具の挟み部を提供する。
【課題を解決するための手段】
【０００７】
本発明は、上記の目的を達成するため、主として、開放式作動部の顎部の挟み持ち面や閉鎖式作動部の嵌設孔の挟み持ち面に、噛合い領域と非噛合い領域とが設けられ、該噛合い領域で、ワークを噛合い、噛合い領域の中段に、突出部が形成され、該突出部の端部に、噛合い槽が設けられ、該突出部に隣接する噛合い槽の端部に、抵当角が設けられ、また、該噛合い槽の外側に、曲状の延伸段が設けられ、これにより、正常であるナットでも、正常ではないナットでも、取り締まることと取り外すことができ、また、ナットの辺縁構造を破壊しない新規の手工具の挟み部である。
【発明を実施するための最良の形態】
【０００８】
図１と図２を参照しながら、本発明は、手工具の挟み部であり、該挟み部の構造は、図のように、主として、開放式作動部を有するオープンスパナに適用される。
【０００９】
図のようなオープンスパナ１０は、手持ち部１１と、手持ち部１１の少なくとも一端に形成された開放式作動部１２と、該開放式作動部を構成する両顎部１３とから構成され、また、両顎部１３の内端面に、ワークを挟み持つ挟み持ち面が形成され、挟み持ち面の詳細構造は、図２のようであり、該顎部１３の挟み持ち面に、噛合い領域１４と非噛合い領域１５とが備えられ、該噛合い領域１４で、ワークを噛合い、非噛合い領域１５により、ワークを取り締まることと取り外す時、ワークを、例えば、ナットの角部を円角に磨耗することを防止でき、本実施例において、ワークが、ナットであり、
上記の噛合い領域１４は、図２のように、約想像中心線Ｌの中段に、円弧突出部１６が形成され、該円弧突出部１６の両端部に、噛合い槽１８が設けられ、噛合い槽１８は、ジグザグ状であり、該噛合い槽１８は、円弧突出部１６に隣接する端部に、抵当角１８１が設けられ、該噛合い槽１８の外側に、曲状である延伸段１７が設けられ、円弧突出部１６と延伸段１７とがにより形成された噛合い領域１４が、円弧面になり、円突出状である噛合い領域１４が形成される。
【００１０】
図３は、本発明の顎部１３の挟み持ち面の噛合い領域の他の実施形態であり、該実施例において、噛合い領域の約想像中心線Ｌの中段に、平面突出部１６Ａが形成され、該噛合い槽１８ａは、平面突出部１６Ａに隣接する端部に、抵当角１８１が設けられ、該噛合い槽１８ａの外側に、曲状である延伸段１７ａが設けられ、平面突出部１６Ａと延伸段１７ａとにより形成された噛合い領域１４は、円弧面で、台状である噛合い領域１４Ａが形成される。
【００１１】
上記の図２と図３の実施形態に示された顎部の挟み持ち面の噛合い領域により、予期の正常や角部が円形に磨耗された正常ではないナットを取り締まることと取り外すことができ、ナットを破壊しない技術手段として、図４と図５により、説明すると、次のようになり、
例えば、図４Ａや図４Ｂ及び図４Ｃを参照しながら、オープンスパナ１０の開放式作動部１２が、正常なナット２０に嵌設される時、開放式作動部１２の両顎部１３の間に位置する正常ナット２０は、その対向する両辺縁２１が、両顎部１３の挟み持ち面の噛合い領域１４の円弧突出部１６に対応し、また、図４Ｂと図４Ｃを参照しながら、時計回りにオープンスパナ１０を回す時、正常ナット２０の対角に位置する辺縁２１が、両挟み持ち面の噛合い領域１４の局部の円弧突出部１６に隣接する曲状である延伸段１７に抵当し（例えば、図４Ｃのように）、正常なナットを取り締まることと取り外すことができ、また、噛合い領域１４内の円弧突出部１６と曲状の延伸段１７が設けられることにより、取り締まることと取り外す時、正常なナットの辺縁が磨耗されることが無く、また、非噛合い領域１５があるため、ナットの角部が、接觸されて抵当されることがなく、取り締まることと取り外すことによりまもうされることを防止できる。
【００１２】
図５Ａと図５Ｂを参照しながら、本発明の開口式作動部１２の噛合い領域１４により、角部が円形に磨耗された正常ではないナット３０を取り締まることと取り外すことができ、図のように、開口式作動部１２が、角部が円角に磨耗された正常ではないナット３０に嵌設され、また、時計回りに回してロックする時、顎部１３の挟み持ち面の噛合い領域１４の円弧突出部１６は、図５Ｂのように、角部が円辺面３１に磨耗された磨耗辺３１１に位置し、耗辺３１１が隣接するコーナー部３２が、円弧突出部１６と延伸段１７との間の噛合い槽１８に位置し、これにより、角部が円形に磨耗された正常ではないナット３０の磨耗辺３１１がより磨耗されることを防止でき、また、該噛合い槽１８の円弧突出部１６の端部に隣接して設けられた抵当角１８１により噛合うことにより、逆時針回りにより弛める時、図５Ｃと図５Ｄのように、角部が円形に磨耗されたナットを、取り締まることと取り外すことができる。
【００１３】
図６と図７のように、上記の開口式作動部の両顎部は、正常や角部が円形に磨耗された正常ではないナットの取り締まることと取り外すことができ、ナットの辺縁構造を破壊しない新鋭の「噛合い領域」が設けられ、また、図６と図７の閉鎖式作動部である形態の眼鏡スパナー（或いは、リングラチェットスパナー）４０や図８の閉鎖式作動部である形態のスリーブ継ぎ手５０に適用できる。
【００１４】
図６と図７のような閉鎖式眼鏡スパナー４０の実施例は、主として、手持ち部４１と、手持ち部４１の少なくとも一つの端に形成された閉鎖式作動部４２と、該閉鎖式作動部４２の縦方向に設けられた貫通する閉鎖状嵌設孔４３と、嵌設孔４３内に形成された少なくとも複数の挟み持ち面とがあり、挟み持ち面の噛合い領域は、図６のように、間隔をおいて設置された実施形態であり、図７のように、各挟み持ち面に、ともに、噛合い領域が設けられた実施形態でもよく、また、図６のように、挟み持ち面に、比較的に広い噛合い領域４７が設けられ、該噛合い領域４７の中段に、円弧突出部４５が形成され、該円弧突出部４５の両端部に噛合い槽４６が設けられ、該円弧突出部４５に隣接する噛合い槽４６の端部に、抵当角４６１が設けられ（例えば、図６Ａのように）、該噛合い槽４６の外側に、曲状の延伸段４４が設けられ、円突出状である噛合い領域が形成されてもよく、また、図７のように、噛合い領域４７Ａの中段に、平面突出部４５Ａが形成され、該平面突出部４５Ａの両端部に、噛合い槽４６が設けられ、また、平面突出部４５Ａに隣接する該噛合い槽４６の端部に、抵当角４６１が設けられ、該噛合い槽４６の外側に、曲状の延伸段４４Ａが設けられることにより、台状である噛合い領域が形成されてもよく、
閉鎖式作動部４２の嵌設孔４３内の挟み持ち面は、、図６の円突出状である噛合い領域４７であっても、図７の台状である噛合い領域４７Ａであっても、正常のナット２０や角部が円形に磨耗された正常ではないナット３０に対して、取り締まることと取り外すことができ、また、嵌設孔４３で取り締まることと取り外す時、正常や角部が円形に磨耗された正常ではないナットのナットの辺縁が破壊されて、生成したバリにより指が傷付かれることを防止できる。
【００１５】
図８Ａと図８Ｂ、図８Ｃ及び図８Ｄを参照しながら、ともに、閉鎖式作動部のスリーブ継ぎ手５０であり、その嵌設孔５１内にも、複数の挟み持ち面が形成され、挟み持ち面に、所定の幅を有する噛合い領域５５が設けられ、該噛合い領域５５の中段に、突出部５２、５２Ａが形成され、該突出部５２、５２Ａの両端部に、噛合い槽５４が設けられ、また、突出部５２、５２Ａに隣接する該噛合い槽５４の端部に、抵当角５４１が設けられ、該噛合い槽５４の外側に、曲状の延伸段５３、５３Ａが設けられ、噛合い領域が形成され、また、該突出部は、図２のような円弧状でもよく、図３のような平面状の噛合い領域でもよく、
上記のスリーブ継ぎ手５０は、閉鎖嵌設孔５１内の噛合い領域により、上記の閉鎖式眼鏡スパナーと同様に、角部が円形に磨耗された正常ではないナットを取り締まることと取り外すことができ、また、ナットの辺縁を破壊することがない。
【図面の簡単な説明】
【００１６】
【図１】本発明に係わる手工具の挟み部が、オープンスパナに適用される時の立体外観図
【図２】図１のオープンスパナの単一顎部の一部の断面概念図
【図３】図２のオープンスパナの顎部の他の実施形態の断面概念図
【図４Ａ】オープンスパナが、正常のナットに嵌設された時の状態図
【図４Ｂ】オープンスパナで時計回りに回転してロックする時の正常のナットの作動図
【図４Ｃ】図４Ｂの一部の拡大図
【図５Ａ】オープンスパナで時計回りに回転してロックする時の角部が磨耗された正常ではないナットの作動図
【図５Ｂ】図５Ａの一部の拡大図
【図５Ｃ】オープンスパナで逆時計回りに回転してロックする時の角部が円形に磨耗された正常ではないナットの作動図
【図５Ｄ】図５Ｃの一部の拡大図
【図６】本発明に係わる手工具の挟み部が、眼鏡スパナーの閉鎖式作動部に適用される場合の時計回りに回転してロックする時の正常であるナットの作動図
【図６Ａ】図６の一部の拡大図
【図７】眼鏡スパナーのほかの実施形態である、逆時計回りに回転してロックする時の角部が円形に磨耗された正常ではないナットの作動図
【図７Ａ】図７の一部の拡大図
【図８Ａ】本発明に係わる手工具の挟み部が、スリーブ継ぎ手の閉鎖式作動部に適用される時の外観概念図
【図８Ｂ】図８Ａのスリーブ継ぎ手が、正常のナットに嵌設される時の作動概念図
【図８Ｃ】スリーブ継ぎ手が閉鎖式作動部に適用される時の他の構造の外観概念図
【図８Ｄ】図８Ｃのスリーブ継ぎ手が角部が円形に磨耗された正常ではないナットに嵌設される時の作動概念図
【符号の説明】
【００１７】
１０      オープンスパナ
１１      手持ち部
１２      開放式作動部
１３      顎部
１４      噛合い領域
１４Ａ    台状噛合い領域
１５      非噛合い領域
１６      円弧突出部
１６Ａ    平面突出部
１７      延伸段
１７Ａ    延伸段
１８      噛合い槽
１８Ａ    噛合い槽
１８１    抵当角
２０      正常ナット
２１      辺縁
３０      角部が円形に磨耗された正常ではないナット
３１      辺面
３１１    磨耗辺
３２      コーナー部
４０      眼鏡スパナー
４１      手持ち部
４２      閉鎖式作動部
４３      嵌設孔
４４      延伸段
４４Ａ    延伸段
４５      円弧突出部
４５Ａ    平面突出部
４６      噛合い槽
４６１    抵当角
４７      噛合い領域
４７Ａ    噛合い領域
５０      スリーブ継ぎ手
５１      嵌設孔
５２      突出部
５２Ａ    突出部
５３      延伸段
５３Ａ    延伸段
５４      噛合い槽
５４１    抵当角
５５      噛合い領域    
Ｌ       
想像中心線 
【図１】
2008155360.tif 000003
【図２】
2008155360.tif 000004
【図３】
2008155360.tif 000005
【図４Ａ】
2008155360.tif 000006
【図４Ｂ】
2008155360.tif 000007
【図４Ｃ】
2008155360.tif 000008
【図５Ａ】
2008155360.tif 000009
【図５Ｂ】
2008155360.tif 000010
【図５Ｃ】
2008155360.tif 000011
【図５Ｄ】
2008155360.tif 000012
【図６】
2008155360.tif 000013
【図６Ａ】
2008155360.tif 000014
【図７】
2008155360.tif 000015
【図７Ａ】
2008155360.tif 000016
【図８Ａ】
2008155360.tif 000017
【図８Ｂ】
2008155360.tif 000018
【図８Ｃ】
2008155360.tif 000019
【図８Ｄ】
2008155360.tif 000020